(57)【要約】【課題】屋根体の上に設けられる太陽光発電パネルの接地を、特別な作業及び部品を必要とすることなく容易になすことのできる太陽光発電パネル固定部品及びそれを備えた組立建物を提供する。【解決手段】屋根体２上部の載置面部２２に取付けられ、載置面部に対し締結固着される固定面部４０と、太陽光発電パネル３の側面と対向する対向面部４１とを有し、対向面部４１には、太陽光発電パネル３の側面長手方向に沿って、突出方向に向かう上り傾斜状に形成される係止突部３２に対し、係止される係合面部４２が形成され、係合面部４２は対向面部４１から突出方向に向かう下り傾斜状に形成されると共に、突出先端部に鋭利な爪部４３を有し、係合面部４２の先端部が対向面部４１に対してなす傾斜角度は、係止突部３２の根元部が太陽光発電パネル３の側面に対してなす傾斜角度よりも小さい。【選択図】図９
2013204392.tif 000002
【特許請求の範囲】
【請求項１】
屋根体の上部に形成される載置面部に載置される太陽光発電パネルを固定する太陽光発電パネル固定部品において、
前記載置面部に対し締結固着される固定面部と、該固定面部から上方に伸び前記太陽光発電パネルの側面と対向する対向面部とを有し、該対向面部には、前記太陽光発電パネルの側面長手方向に沿って形成される傾斜状の係止突部に対し係止される係合面部が形成されると共に、該係合面部の突出先端部に鋭利な爪部を有してなることを特徴とする太陽光発電パネル固定部品。
【請求項２】
前記係合面部は、前記太陽光発電パネルの側面から突出方向に向かう上り傾斜状に形成される係止突部に対し係止されるように、前記対向面部から突出方向に向かう下り傾斜状に形成され、前記係合面部の先端部が前記対向面部に対してなす傾斜角度は、前記係止突部の根元部が前記太陽光発電パネルの側面に対してなす傾斜角度よりも小さいことを特徴とする請求項１記載の太陽光発電パネル固定部品。
【請求項３】
支持体の上に屋根体を固定し、該屋根体の上に載置面部を形成し、該載置面部に太陽光発電パネルを載置すると共に、太陽光発電パネル固定部品で固定してなる組立建物において、
前記太陽光発電パネル固定部品は、前記載置面部に対し締結固着される固定面部と、該固定面部から上方に伸び前記太陽光発電パネルの側面と対向する対向面部とを有し、前記太陽光発電パネルには、側面長手方向に沿って、突出方向に向かう上り傾斜状の係止突部が形成され、
前記対向面部には、前記太陽光発電パネルの係止突部に対し係止される係合面部が形成され、該係合面部は前記対向面部から突出方向に向かう下り傾斜状に形成されると共に、突出先端部に鋭利な爪部を有し、
前記係合面部の先端部が前記対向面部に対してなす傾斜角度は、前記係止突部の根元部が前記太陽光発電パネルの側面に対してなす傾斜角度よりも小さいことを特徴とする組立建物。
【請求項４】
前記太陽光発電パネルの係止突部は、上面の根元部が曲面状をなすことを特徴とする請求項３記載の組立建物。
【請求項５】
前記太陽光発電パネル固定部品の固定面部は、前記係合面部が前記係止突部に対し係止した状態で前記載置面部との間に隙間を有すると共に、前記載置面部に対して締結固定されることを特徴とする請求項３または４記載の組立建物。
【請求項６】
前記屋根体の上部には前記載置面部を有する長尺状のパネル支持フレームが複数設けられることを特徴とする請求項５記載の組立建物。
【請求項７】
前記載置面部は長手方向に沿う溝部を有し、前記太陽光発電パネル固定部品の固定面部には、前記溝部に対して挿入係止可能な下方突出状の係止片が設けられることを特徴とする請求項６記載の組立建物。
【発明の詳細な説明】
【技術分野】
【０００１】
本発明は、屋根面に設置される太陽光発電パネルの縁部を屋根面側に押圧固定する太陽光発電パネル固定部品及びそれを備えた組立建物に関し、特に太陽光発電パネルを接地させることのできる太陽光発電パネル固定部品及びそれを備えた組立建物に関する。
【背景技術】
【０００２】
カーポートなどの組立建物は、屋根体が支持体により支持されて構成される。近年、屋根体の上に太陽光発電パネルを設けて、自家発電を行う組立建物が多く製造されている。組立建物の屋根に太陽光発電パネルを設ける構造としては、屋根体の上に一方向に沿う載置台部材を、該一方向と直交する方向に沿って複数固定し、この載置台部材の上に太陽光発電パネルを載置し、固定するものが一般的である。
【０００３】
太陽光発電パネルは、一枚の大きさが規格品として定まっており、様々な大きさを有する組立建物の屋根体に対し、複数枚を並設配置する。載置台部材は、両側にそれぞれ太陽光発電パネルの縁部を載置できるように構成され、太陽光発電パネル同士を隣接させる。載置台部材の上には、隣接する各太陽光発電パネルの上面側を押圧する固定部品がネジ止め固定され、太陽光発電パネルの縁部を保持固定する。このような太陽光発電パネルを備えた組立建物としては、例えば特許文献１に挙げるようなものがある。
【先行技術文献】
【特許文献】
【０００４】
【特許文献１】特開平１０−３１７６２１号公報
【発明の概要】
【発明が解決しようとする課題】
【０００５】
太陽光発電パネルは、電気的に接地させる必要があり、従来の組立建物では、太陽光発電パネルのフレームなどにアース線を取付け、このアース線を引き回して接地するようにしていた。このため、施工の際にアース線を接続したり引き回したりする工程が必要となり、手間がかかっていた。また、アース線等の部品が必要となるので、コストアップの要因ともなっていた。
【０００６】
アース線の引き回しを不要とするため、特許文献１では、太陽光発電パネルに固定される接続部品に鋭利な部分を設け、太陽光発電パネルを固定する際に、鋭利な部分を太陽光発電パネルの金属部分に食い込ませることにより、両者を電気的に導通させ、さらに接続部品を載置台部材に導通させることによって、太陽光発電パネルを接地するようにしている。
【０００７】
しかし、従来の技術では、接続金具を上から締め付けることで太陽光発電パネルの金属部分の塗装を剥がし、導通させるため、接続金具に対し強い締め付けをしないと塗装が剥がれないことがあって、接地ができないおそれがあった。
【０００８】
本発明は前記課題を鑑みてなされたものであり、屋根体の上に設けられる太陽光発電パネルの接地を、特別な作業及び部品を必要とすることなく容易になすことのできる太陽光発電パネル固定部品及びそれを備えた組立建物を提供することを目的とする。
【課題を解決するための手段】
【０００９】
前記課題を解決するため、本発明に係る太陽光発電パネル固定部品は、屋根体の上部に形成される載置面部に載置される太陽光発電パネルを固定する太陽光発電パネル固定部品において、
前記載置面部に対し締結固着される固定面部と、該固定面部から上方に伸び前記太陽光発電パネルの側面と対向する対向面部とを有し、該対向面部には、前記太陽光発電パネルの側面長手方向に沿って形成される傾斜状の係止突部に対し係止される係合面部が形成されると共に、該係合面部の突出先端部に鋭利な爪部を有してなることを特徴として構成されている。
【００１０】
また、本発明に係る太陽光発電パネル固定部品は、前記係合面部は、前記太陽光発電パネルの側面から突出方向に向かう上り傾斜状に形成される係止突部に対し係止されるように、前記対向面部から突出方向に向かう下り傾斜状に形成され、前記係合面部の先端部が前記対向面部に対してなす傾斜角度は、前記係止突部の根元部が前記太陽光発電パネルの側面に対してなす傾斜角度よりも小さいことを特徴として構成されている。
【００１１】
さらに、本発明に係る組立建物は、支持体の上に屋根体を固定し、該屋根体の上に載置面部を形成し、該載置面部に太陽光発電パネルを載置すると共に、太陽光発電パネル固定部品で固定してなる組立建物において、
前記太陽光発電パネル固定部品は、前記載置面部に対し締結固着される固定面部と、該固定面部から上方に伸び前記太陽光発電パネルの側面と対向する対向面部とを有し、前記太陽光発電パネルには、側面長手方向に沿って、突出方向に向かう上り傾斜状の係止突部が形成され、
前記対向面部には、前記太陽光発電パネルの係止突部に対し係止される係合面部が形成され、該係合面部は前記対向面部から突出方向に向かう下り傾斜状に形成されると共に、突出先端部に鋭利な爪部を有し、
前記係合面部の先端部が前記対向面部に対してなす傾斜角度は、前記係止突部の根元部が前記太陽光発電パネルの側面に対してなす傾斜角度よりも小さいことを特徴として構成されている。
【００１２】
さらにまた、本発明に係る組立建物は、前記太陽光発電パネルの係止突部は、上面の根元部が曲面状をなすことを特徴として構成されている。
【００１３】
そして、本発明に係る組立建物は、前記太陽光発電パネル固定部品の固定面部は、前記係合面部が前記係止突部に対し係止した状態で前記載置面部との間に隙間を有すると共に、前記載置面部に対して締結固定されることを特徴として構成されている。
【００１４】
また、本発明に係る組立建物は、前記屋根体の上部には前記載置面部を有する長尺状のパネル支持フレームが複数設けられることを特徴として構成されている。
【００１５】
さらに、本発明に係る組立建物は、前記載置面部は長手方向に沿う溝部を有し、前記太陽光発電パネル固定部品の固定面部には、前記溝部に対して挿入係止可能な下方突出状の係止片が設けられることを特徴として構成されている。
【発明の効果】
【００１６】
本発明に係る太陽光発電パネル固定部品によれば、太陽光発電パネル間に挿入して締結固定するだけで、係合面部が太陽光発電パネル側面の係止突部に係止されると共に、係合面部の先端部が、太陽光発電パネル固定部品が上下するのに伴い、係止突部の上面に当接したまま該上面に沿って移動するから、爪部に係止突部の上面を引っ掻いて傷付けさせることができ、さらに食い込んで係止させることができる。これにより、太陽光発電パネルと太陽光発電パネル固定部品との間を、確実に電気的に導通させることができるから、太陽光発電パネルの接地のための特別な作業及び部品を不要とすることができ、組立作業性を向上させると共に、部品点数を減らしてコスト削減を図ることができる。
【００１７】
また、本発明に係る組立建物によれば、前記太陽光発電パネル固定部品を備えているので、太陽光発電パネルの接地のための特別な作業及び部品を不要とすることができ、組立作業性を向上させると共に、部品点数を減らしてコスト削減を図ることができる。
【００１８】
さらに、本発明に係る組立建物によれば、係止突部の上面根元部が曲面状をなしているので、太陽光発電パネル固定部品の爪部を円滑に係止突部の上面を引っ掻きながら移動させることができる。
【００１９】
さらにまた、本発明に係る組立建物によれば、固定面部と載置面部との間に隙間が生じるようにしておくことで、締結強度の調整を可能とすることができる。
【００２０】
そして、本発明に係る組立建物によれば、屋根体の上部には載置面部を有する長尺状のパネル支持フレームが複数設けられることで、太陽光発電パネルを載置面部の上に配置して、太陽光発電パネル固定部品を隣接する太陽光発電パネル間に挿入し締結固定していくことで、容易に太陽光発電パネルの連結、固定作業を行うことができる。
【００２１】
また、本発明に係る組立建物によれば、太陽光発電パネル固定部品を予め載置面部に取付けておく場合において、係止片の溝部に対する係止によって太陽光発電パネル固定部品の回転止めをなし、太陽光発電パネル固定部品を確実に載置面部の長手方向と平行となるようにして、太陽光発電パネルの取付における作業性を向上させることができる。
【図面の簡単な説明】
【００２２】
【図１】本実施形態の組立建物の正面図である。
【図２】本実施形態の組立建物の側面図である。
【図３】図２のＢ−Ｂ断面図のうち一端側付近の拡大図である。
【図４】図３のうち１つの下保持部材及び上保持部材付近の拡大図である。
【図５】図３のうち端部下保持部材及び端部上保持部材付近の拡大図である。
【図６】図１のＡ−Ａ断面図のうち一端側付近の拡大図である。
【図７】図６のうちパネル支持フレーム付近の拡大図である。
【図８】太陽光発電パネル固定部品の斜視図である。
【図９】太陽光発電パネル固定部品を太陽光発電パネルに係止させる際の過程を表した拡大断面図である。
【図１０】太陽光発電パネル固定部品を長手方向のスライドで太陽光発電パネルに係止させる場合の拡大斜視図である。
【図１１】図６のうち屋根体端部付近の拡大図である。
【図１２】太陽光発電パネル端部固定部品の斜視図である。
【図１３】屋根体の前端部分における太陽光発電パネルの固定作業中の状態を表した断面図である。
【発明を実施するための形態】
【００２３】
本発明の実施形態について図面に沿って詳細に説明する。図１には本実施形態の組立建物の正面図を、図２には本実施形態の組立建物の側面図を、それぞれ示している。本実施形態の組立建物は、地面に前後複数立設される支持体１でパネル状の屋根体２を支持し、屋根体２の上に太陽光発電パネル３を配設してなるものであって、カーポートとして用いられるものである。支持体１は、左右２本の支柱１０、１０の上端部に、梁１１の両端部を固定して略コ字状に形成されてなる。図１の紙面前側及び図２の左側が、車の出入りする側である。
【００２４】
図１及び図２に示すように、支持体１の上に固定される屋根体２は、車の出入りする側から奥側に向かって上り傾斜状となっている。屋根体２は、側面の四周に渡る枠体１２を有しており、その内側に屋根パネル１５を保持している。枠体１２は前枠１２ａと後枠１２ｂ及び左右の側枠１２ｃ、１２ｃからなっている。屋根体２の上に載置固定される太陽光発電パネル３は、屋根体２よりも小さい寸法であり、車の出入りする方向及びそれと直交する方向にそれぞれ複数枚が並設配置されて、全体としては屋根体２よりもやや小さい面積を占める領域を占有する。
【００２５】
屋根体２の構成について説明する。図３には、図２のＢ−Ｂ断面図のうち一端側付近の拡大図を示している。この図に示すように、梁１１の上面には、所定間隔おきに梁１１と直交する方向に沿う長尺状の下保持部材１３が取付けられる。下保持部材１３は、屋根体２において前枠１２ａから後枠１２ｂに渡る長さを有している。下保持部材１３の上部には、該下保持部材１３と同じ長さを有する上保持部材１４が固定され、下保持部材１３と上保持部材１４によって、隣接する２枚の屋根パネル１５、１５の縁部をそれぞれ保持固定する。
【００２６】
支柱１０の上面、すなわち屋根体２の左右端部には、端部下保持部材１６が取付けられている。端部下保持部材１６の上部には、端部上保持部材１７が固定され、端部下保持部材１６と端部上保持部材１７によって、左右端部の屋根パネル１５の端部を保持固定する。
【００２７】
図４には、図３のうち１つの下保持部材１３及び上保持部材１４付近の拡大図を示している。下保持部材１３は、梁１１の上面に載置されて固定される中空部５０を有し、中空部５０の上面は、上方に向かって突出する下連結部５１を備えると共に、その両側がそれぞれ屋根パネル１５を下方から挟持するための下挟持部５２、５２となっている。下挟持部５２には、屋根パネル１５の下面に直接当接する気密材５３が長手方向に沿って設けられている。
【００２８】
上保持部材１４は、下保持部材１３の下連結部５１に対してネジ止め固定される上連結部５５と、この上連結部５５から左右にそれぞれ伸びる上挟持部５６とを有している。上挟持部５６は、屋根パネル１５を上方から挟持し、下挟持部５２の気密材５３と対向する位置に気密材５７を有していて、屋根パネル１５に対し直接当接する。また、上保持部材１４の上面には、上方に向かって突出状に形成された挿入部５８が一体的に形成されている。挿入部５８は、太陽光発電パネル３の固定のために用いられる。
【００２９】
図５には、図３のうち端部下保持部材１６及び端部上保持部材１７付近の拡大図を示している。端部下保持部材１６は、下保持部材１６のうち一方を切り取ったような形状を有しており、中空部５０の上面に下連結部５１が突出状に形成され、その一方側の上面が下挟持部５２となっていて気密材５３を保持し、屋根パネル１５を下面側から挟持すると共に、中空部５０の端面には側枠１２ｃが固定されている。
【００３０】
端部上保持部材１７は、上保持部材１４のうち一方を切り取ったような形状を有し、下連結部５１とネジ止め固定される上連結部５５と、上連結部５５から一方側に向かって伸びる上挟持部５６とを有し、上挟持部５６には気密材５７が保持されて屋根パネル１５を上面側から挟持する。また、上挟持部５６の上面には突出片５９が一体的に形成されている。
【００３１】
屋根体２の上部に取付けられる太陽光発電パネル３の固定構造について説明する。図６には、図１のＡ−Ａ断面図のうち一端側付近の拡大図を示している。この図に示すように、上保持部材１４の上部には、上保持部材１４と直交する方向に沿って配置されるパネル支持フレーム４が取付けられている。パネル支持フレーム４は、屋根体２の前後両端部とその中間部に、太陽光発電パネル３の寸法に略適合する所定間隔ごとに設けられ、太陽光発電パネル３の縁部を載置する載置面部２２を有している。
【００３２】
図７には、図６のうちパネル支持フレーム４付近の拡大図を示している。パネル支持フレーム４は、上保持部材１４の上部に固定される平面状の下面部２０を有し、下面部２０の上部には断面略方形状の中空凸部２１が形成されている。中空凸部２１の上面は、太陽光発電パネル３を載置自在な載置面部２２であり、その中央部には、長手方向に沿って凹状の溝部２１ａが形成されている。
【００３３】
載置面部２２の上部には、隣接する太陽光発電パネル３、３を連結固定する太陽光発電パネル固定部品２３が締結固着されている。太陽光発電パネル固定部品２３は、太陽光発電パネル３の一辺よりも短い短尺状であって、載置面部２２の長手方向に沿って所定間隔で複数が設けられる。太陽光発電パネル固定部品２３は、載置面部２２に対し締結固着される固定面部４０と、その両端から上方に向かって伸び、太陽光発電パネル３の側面と対向する対向面部４１とで、略Ｕ字状をなすように形成されており、さらに、対向面部４１の上端から太陽光発電パネル３の側面に向かって突出する係合面部４２が形成されている。
【００３４】
パネル支持フレーム４の上面に形成される溝部２１ａには、ボルト２４の頭部が長手方向にスライド挿入されて配置されており、ボルト２４が溝部２１ａから上方に向かって突出するように配置されている。ボルト２４は太陽光発電パネル固定部品２３の固定面部４０を挿通され、ナット２５が上方からボルト２４に対し締結されることで、太陽光発電パネル固定部品２３が固定されている。
【００３５】
太陽光発電パネル３は、発電を行うパネル部３０の側面に、金属製のフレーム部３１が設けられている。フレーム部３１には、その長手方向に沿って、突出方向に向かう上り傾斜状の係止突部３２が形成されている。太陽光発電パネル固定部品２３の係合面部４２は、突出方向に向かう下り傾斜状に形成されているから、係合面部４２を係止突部３２に対して上方から引っ掛けるように係止させることができ、これによって太陽光発電パネル３を固定する。また、係合面部４２は固定面部４０の両側に形成されているから、隣接する太陽光発電パネル３、３の両方を固定することができる。
【００３６】
図８には、太陽光発電パネル固定部品２３の斜視図を示している。この図に示すように、固定面部４０には孔部４０ａが形成されており、この孔部４０ａに前述のボルト２４が挿通される。また、係合面部４２の先端部両端には、それぞれ鋭利な爪部４３が形成されている。爪部４３は、係合面部４２を太陽光発電パネル３の係止突部３２に係止させる際に、係止突部３２の表面を引っ掻くように傷付け、フレーム部３１の塗装及び酸化膜を突き破って、太陽光発電パネル固定部品２３とフレーム部３１とを電気的に導通させる。
【００３７】
図９には、太陽光発電パネル固定部品２３を太陽光発電パネル３に係止させる際の過程を表した拡大断面図を示している。図９（ａ）は、太陽光発電パネル固定部品２３を取付ける前の状態であり、パネル支持フレーム４の載置面部２２に対し、隣接する太陽光発電パネル３の縁部が載置されている。太陽光発電パネル３の側面間に対し、太陽光発電パネル固定部品２３が挿入される。なお、図９（ａ）では、太陽光発電パネル固定部品２３を上方から挿入するように表されているが、図１０に示すように、太陽光発電パネル３間の領域に対し長手方向に沿ってスライド挿入してもよい。また、片側に太陽光発電パネル３を設置し、その後、太陽光発電パネル固定部品２３を取り付けて、さらにもう一方側より太陽光発電パネル３を斜めから引っ掛けるように取り付けるようにしてもよい。
【００３８】
図９（ｂ）は、太陽光発電パネル固定部品２３の係合面部４２を太陽光発電パネル３の係止突部３２に対し上方から突き当てた状態を表している。係合面部４２の先端部が係止突部３２の上面側に対して当接したとき、太陽光発電パネル固定部品２３の固定面部４０は、載置面部２２との間が離隔している。固定面部４０を挿通したボルト２４に対して上方からナット２５を締結することにより、固定面部４０は載置面部２２により近づく。
【００３９】
ここで、係合面部４２は、対向面部４１に対してθ１の角度をなしている。一方、係止突部３２の根元部３２ａは、太陽光発電パネル３の側面に対して、θ２の角度をなしており、また、係止突部３２は、先端に向かうにつれて次第に太陽光発電パネル３の側面に対する角度が大きくなるように湾曲している。係合面部４２が対向面部４１に対してなす角度θ１は、係止突部３２の根元部３２ａが太陽光発電パネル３の側面に対してなす角度θ２よりも小さいから、係合面部４２の先端部は、太陽光発電パネル固定部品２３が上下するのに伴って、係止突部３２の上面に当接したまま、該上面に沿って移動することができる。このため、ボルト２４にナット２５を締結し、太陽光発電パネル固定部品２３が下方に移動するのに伴い、係合面部４２の先端部は係止突部３２の根元側に向かってさらに移動する。このときに、係合面部４２の先端部に形成された爪部４３が、係止突部３２の上面を引っ掻いて傷付け、最終的には食い込んで係止される。また、係止突部３２は、根元部３２ａの上面が滑らかな曲面状となっている。このため、爪部４３が円滑に係止突部３２の上面を引っ掻きながら移動することができる。
【００４０】
図９（ｃ）は、太陽光発電パネル固定部品２３を載置面部２２に対して締結固着した状態を表している。固定面部４０を載置面部２２に対して固着した状態でも、両者の間には若干の隙間が存在している。このように、通常の締結強度においては、固定面部４０と載置面部２２との間に隙間が生じるようにしておくことで、締結強度の調整を可能としている。したがって、固定面部４０と載置面部２２との間の隙間が０になるまで締結がなされていてもよい。
【００４１】
太陽光発電パネル固定部品２３を載置面部２２に対して締結固着することで、係合面部４２の先端部に形成された爪部４３が、係止突部３２の上面を引っ掻きつつ、係止突部３２の根元部３２ａ側にさらに移動し、最終的には曲面状の部分に鋭利な先端が圧接した状態となるので、太陽光発電パネル固定部品２３の締結固定の作業だけで、太陽光発電パネル３と太陽光発電パネル固定部品２３との間を、確実に電気的に導通させることができる。
【００４２】
太陽光発電パネル固定部品２３は、ボルト２４及びナット２５を介してパネル支持フレーム４及びそれより下部の屋根体２並びに支持体１とも導通しているから、太陽光発電パネル３と太陽光発電パネル固定部品２３との間の導通により、アース線等を用いることなく、太陽光発電パネル３を接地させることができる。したがって、太陽光発電パネル３の接地のための特別な作業及び部品を不要とすることができ、組立作業性を向上させると共に、部品点数を減らしてコスト削減を図ることができる。
【００４３】
図１１には、図６のうち屋根体２端部付近の拡大図を示している。屋根体２の端部に設けられるパネル支持フレーム４は、中間部に設けられるパネル支持フレーム４と同じ形状である。一方で、この位置のパネル支持フレーム４に取付けられる太陽光発電パネル端部固定部品２６は、太陽光発電パネル３が一方側にしか配置されないので、固定面部４０の一端部からのみ上方に伸びる対向面部４１を有して構成されている。固定面部４０と対向面部４１及び係合面部４２の構成は、太陽光発電パネル固定部品２３と同様である。
【００４４】
図１２には、太陽光発電パネル端部固定部品２６の斜視図を示している。この図に示すように、太陽光発電パネル端部固定部品２６の固定面部４０には、その端部から下方に突出する係止片４４が形成されている。係止片４４は、パネル支持フレーム４の上面に形成された溝部２１ａに適合する幅を有し、溝部２１ａに対して挿入係止可能となっている。図１１に示されているように、太陽光発電パネル端部固定部品２６の係止片４４は、パネル支持フレーム４の溝部２１ａに挿入係止されている。
【００４５】
太陽光発電パネル３は、最初に屋根体２の前後両端部に取付けられ、その後、前後方向中間部に順次取付けられる。図１３には、屋根体２の前端部分における太陽光発電パネル３の固定作業中の状態を表した断面図を示している。この図に示すように、前後両端部における太陽光発電パネル３の固定は、前後両端部のパネル支持フレーム４に予め取付けられていた太陽光発電パネル端部固定部品２６に対し、太陽光発電パネル３を引っ掛けるように取付ける。このとき、円滑に作業を行うには、太陽光発電パネル端部固定部品２６がパネル支持フレーム４に対し平行に取付けられている必要がある。太陽光発電パネル端部固定部品２６には、係止片４４が形成されていて、これがパネル支持フレーム４の溝部２１ａに挿入係止されるので、太陽光発電パネル端部固定部品２６を確実にパネル支持フレーム４と平行に取付けることができ、組立の作業性を向上させることができる。
【００４６】
なお、屋根体２の前後方向中間部に取付けられる太陽光発電パネル固定部品２３は、太陽光発電パネル３をパネル支持フレーム４上に配置した後に、隣接する太陽光発電パネル３、３間の領域に対し挿入されるから、太陽光発電パネル端部固定部品２６のように回転止めの係止片を設ける必要はない。
【００４７】
以上、本発明の実施形態について説明したが、本発明の適用は本実施形態には限られず、その技術的思想の範囲内において様々に適用されうるものである。組立建物の基本構成については、本実施形態では支持体１が両支持タイプであって、屋根体２が前方に向かって下り傾斜状となっているが、支持体１が片流れタイプなど別のものであってもよいし、屋根体２の傾斜方向が別のタイプであってもよい。また、組立建物の寸法及び縦横比率などは、設置される土地に応じて様々なものがあり、どのようなものであっても本発明を適用することができる。
【符号の説明】
【００４８】
１    支持体
２    屋根体
３    太陽光発電パネル
４    パネル支持フレーム
１０    支柱
１１    梁
１２    枠体
１３    下保持部材
１４    上保持部材
１５    屋根パネル
２０    下面部
２１    中空凸部
２１ａ  溝部
２２    載置面部
２３    太陽光発電パネル固定部品
２４    ボルト
２５    ナット
２６    太陽光発電パネル端部固定部品
３０    パネル部
３１    フレーム部
３２    係止突部
３２ａ  根元部
４０    固定面部
４１    対向面部
４２    係合面部
４３    爪部
４４    係止片
【図１】
2013204392.tif 000003
【図２】
2013204392.tif 000004
【図３】
2013204392.tif 000005
【図４】
2013204392.tif 000006
【図５】
2013204392.tif 000007
【図６】
2013204392.tif 000008
【図７】
2013204392.tif 000009
【図８】
2013204392.tif 000010
【図９】
2013204392.tif 000011
【図１０】
2013204392.tif 000012
【図１１】
2013204392.tif 000013
【図１２】
2013204392.tif 000014
【図１３】
2013204392.tif 000015